(57)【要約】【課題】ペール缶の蓋を、容器本体上部に簡単且つ確実に装着させるための封緘機を提供する。【解決手段】ペール缶１０の蓋１２と同径の押え板２１の上部に、水平且つ上下動可能に基板２３と天板２４とを設け、基板２３と天板２４とをシャフト２５にて連結する。押え板２１に突当棒２８を突設し、基板２３と天板２４との間に上端大径部２８ａを配置する。基板２３の外周側に突設したサポート部材３０に回動腕３１を枢支し、回動腕３１の下端部に容器本体１１の大径環状部１１ｃに係止する係止片３１ｂを、上端部にローラ３１ｃを設ける。天板２４の下面に、天板２４の外周面と面一に配置される上部カム面３３ａと天板２４の外周面よりも内周側に配置される下部カム面３３ｂとを連続して設けたカム部材３３を取り付け、回動腕部３１のローラ３１ｃをカム面に当接させる。天板２４の上面に天板２４を押動する押動手段３５を備える。【選択図】  図１
0003138110.tif 000002
【実用新案登録請求の範囲】
【請求項１】
合成樹脂製ペール缶の容器本体の開口部に周設された嵌合突部を、容器本体の開口部を閉塞する蓋の下面に周設された嵌合溝に嵌入させて容器本体上部に蓋を嵌合させるペール缶の封緘機であって、該封緘機は、前記蓋と同径の押え板と、該押え板に立設した複数のガイド棒を介して、該押え板の上部に水平且つ上下動可能に下から順に配置される円盤状の基板及び天板と、下端部が前記基板の中心部に固着され、上部を前記天板の中心部に設けたシャフト挿通孔に上下動可能に挿通したシャフトと、前記天板の下面と前記基板の上面との間に縮設される第１スプリングと、前記押え板の上面に立設されて前記基板を上方に貫通し、上端大径部が前記基板と前記天板との間に配置される複数の突当棒と、該突当棒の上端大径部と基板上面との間に縮設される第２スプリングと、前記基板の外周側に突出する複数のサポート部材と、各サポート部材に基板接線方向の支軸にて中間部を回動可能にそれぞれ枢支された複数の回動腕と、該回動腕の下端部に設けられて前記ペール缶の容器本体上部外周に形成された大径環状部に係止する係止片と、回動腕の上端部に設けられたカム作動部と、回動腕のカム作動部側を基板内周側に付勢する第３スプリングと、前記天板に取り付けられて天板と基板とが接近したときに前記カム作動部を外周方向に押動する複数のカム部材と、前記天板の上面に設けられて該天板に対して前記シャフトを上方に引き上げることにより、天板を前記基板及び押え板に接近する方向に押動する押動手段とを有し、前記ペール缶の開口部に前記蓋を載置し、該蓋の上面に前記押え板を載置した状態で、前記押動手段を作動させて前記天板を前記基板方向に押動し、この天板の移動に伴って前記カム部材が前記カム作動部を外周方向に押動し、各回動腕を前記支軸を中心に回動させて前記係止片をペール缶の大径環状部の下方に位置させ、さらに、天板の下動に伴って前記突当棒の上端大径部が天板の下面に当接することにより、相対的に前記基板が上昇して前記天板及び押え板が下降するとともに前記係止片がペール缶の大径環状部に係止し、相対的に基板と共に上昇する係止片と下降する押え板とによって前記蓋と大径環状部とを挟着して蓋を開口部に向けて押圧し、前記嵌合突部を前記嵌合溝に嵌入させて容器本体上部に蓋を嵌合させることを特徴とするペール缶の封緘機。
【請求項２】
前記カム部材は、前記天板の外周面と面一に配置される上部カム面と、前記天板の外周面よりも内周側に配置される下部カム面とを連続して形成した板材で形成され、前記カム作動部に対応して前記天板の外周側下面に複数取り付けられることを特徴とする請求項１記載のペール缶の封緘機。
【考案の詳細な説明】
【技術分野】
【０００１】
本発明は、ペール缶の容器本体に蓋を嵌合させるペール缶の封緘機に係り、詳しくは、合成樹脂製の容器本体に合成樹脂製の蓋を簡単且つ確実に取り付けることのできるペール缶の封緘機に関する。
【背景技術】
【０００２】
従来、容器本体と蓋とを備えたペール缶では、作業済みの内容物へのいたずらを等を防止するために、蓋に設けた缶口を封緘したり（例えば、特許文献１参照）、蓋が外れる方向に回動しないようにロックするロック機能と、蓋が外されないように封印する封印機能とを備えた蓋の封緘構造を備えたものがある（例えば、特許文献２参照。）。
【特許文献１】特開２００４−１６１３５３号公報
【特許文献２】特開２００１−２８７７６０号公報
【考案の開示】
【考案が解決しようとする課題】
【０００３】
しかし、上述の特許文献１のものでは、容器本体と蓋とは螺合させるだけであることから、容器本体に蓋を外れないようにしっかりと取り付けることはできなかった。また、特許文献２のものでは、ペール缶の容器本体と蓋との取付構造が複雑になっていた。
【０００４】
そこで本考案は、容器本体の開口部に嵌合突部を周設し、蓋の下面に前記嵌合突部に嵌入させる嵌合溝を周設した合成樹脂製のペール缶の蓋を、容器本体上部の開口部に簡単且つ確実に装着嵌合させることができるペール缶の封緘機を提供することを目的としている。
【課題を解決するための手段】
【０００５】
上記の目的を達成するため本考案は、合成樹脂製ペール缶の容器本体の開口部に周設された嵌合突部を、容器本体の開口部を閉塞する蓋の下面に周設された嵌合溝に嵌入させて容器本体上部に蓋を嵌合させるペール缶の封緘機であって、該封緘機は、前記蓋と同径の押え板と、該押え板に立設した複数のガイド棒を介して、該押え板の上部に水平且つ上下動可能に下から順に配置される円盤状の基板及び天板と、下端部が前記基板の中心部に固着され、上部を前記天板の中心部に設けたシャフト挿通孔に上下動可能に挿通したシャフトと、前記天板の下面と前記基板の上面との間に縮設される第１スプリングと、前記押え板の上面に立設されて前記基板を上方に貫通し、上端大径部が前記基板と前記天板との間に配置される複数の突当棒と、該突当棒の上端大径部と基板上面との間に縮設される第２スプリングと、前記基板の外周側に突出する複数のサポート部材と、各サポート部材に基板接線方向の支軸にて中間部を回動可能にそれぞれ枢支された複数の回動腕と、該回動腕の下端部に設けられて前記ペール缶の容器本体上部外周に形成された大径環状部に係止する係止片と、回動腕の上端部に設けられたカム作動部と、回動腕のカム作動部側を基板内周側に付勢する第３スプリングと、前記天板に取り付けられて天板と基板とが接近したときに前記カム作動部を外周方向に押動する複数のカム部材と、前記天板の上面に設けられて該天板に対して前記シャフトを上方に引き上げることにより、天板を前記基板及び押え板に接近する方向に押動する押動手段とを有し、前記ペール缶の開口部に前記蓋を載置し、該蓋の上面に前記押え板を載置した状態で、前記押動手段を作動させて前記天板を前記基板方向に押動し、この天板の移動に伴って前記カム部材が前記カム作動部を外周方向に押動し、各回動腕を前記支軸を中心に回動させて前記係止片をペール缶の大径環状部の下方に位置させ、さらに、天板の下動に伴って前記突当棒の上端大径部が天板の下面に当接することにより、相対的に前記基板が上昇して前記天板及び押え板が下降するとともに前記係止片がペール缶の大径環状部に係止し、相対的に基板と共に上昇する係止片と下降する押え板とによって前記蓋と大径環状部とを挟着して蓋を開口部に向けて押圧し、前記嵌合突部を前記嵌合溝に嵌入させて容器本体上部に蓋を嵌合させることを特徴としている。
【０００６】
また、前記カム部材は、前記天板の外周面と面一に配置される上部カム面と、前記天板の外周面よりも内周側に配置される下部カム面とを連続して形成した板材で形成され、前記カム作動部に対応して前記天板の外周側下面に複数取り付けられることを特徴としている。
【考案の効果】
【０００７】
本考案のペール缶の封緘機によれば、天板上面に設けた押動手段を操作することにより、回動腕の係止片が容器本体の大径環状部に係止するとともに、回動腕に対して相対的に下方に移動する押え板によって蓋が容器本体の開口部に向けて押圧されることにより、容器本体の嵌合突部を蓋の嵌合溝に簡単且つ確実に嵌入させることができ、容器本体に蓋を容易に外れないように確実に嵌合させることができる。
【０００８】
また、カム部材を板材で形成し、カム作動部に対応して複数取り付けることにより、カム部材を容易に加工することができ、加工に要するコストを低く抑えることができるとともに、重量が嵩むことを防止でき、封緘機の取り扱い性を向上させることができる。
【考案を実施するための最良の形態】
【０００９】
以下、本考案の一形態例を図面に基づいて詳しく説明する。図１はペール缶の蓋の上部に封緘機を載置した状態を示す正面図、図２は封緘機の要部拡大正面図、図３は図２のIII-III断面図、図４は封緘機の一部断面平面図、図５は図４のＶ-Ｖ断面図、図６は押動手段のハンドルバーを拡開して突当棒の上端大径部が天板の下面に当接した状態を示す封緘機の要部拡大正面図、図７はハンドルバーをさらに拡開して係止片と押え板とでペール缶の容器本体と蓋とを挟着して蓋を開口部に向けて押圧している状態を示す封緘機の要部拡大正面図である。
【００１０】
まず、本考案の対象となるペール缶１０は、合成樹脂製の容器本体１１と蓋１２とを備え、容器本体１１の上部には、嵌合突部１１ａが周設された開口部の下部外周に係合突片１１ｂが設けられるとともに、該係合突片１１ｂの下方に大径環状部１１ｃが周設されている。蓋１２は、外周部下面に前記嵌合突部１１ａが嵌入する嵌合溝１２ａが設けられ、該嵌合溝１２ａの上面１２ｂよりも内周側には凹面部１２ｃが設けられている。また、嵌合溝１２ａの外周下部には、前記係合突片１１ｂが係合する係合突縁１２ｄが設けられ、嵌合溝１２ａの内周側には、嵌合溝１２ａに嵌入する嵌合突部１１ａを外周側に押圧して係合突片１１ｂと係合突縁１２ｄとを確実に係合させるための押圧片１２ｅが設けられている。
【００１１】
封緘機２０は、前記蓋１２の外径と略同じ外径を有する押え板２１と、該押え板２１に立設した２本のガイド棒２２を介して、該押え板２１の上部に水平且つ上下動可能に下から順に配置される円盤状の基板２３及び天板２４とを有している。前記押え板２１は、前記蓋１２の凹面部１２ｃ内に挿入可能な外径を有する小径リング部２１ａと、該小径リング部２１ａの上部から外周側に突出した蓋１２と略同じ外径のフランジ部２１ｂとを有しており、前記嵌合溝１２ａの上面１２ｂ上にフランジ部２１ｂを載置した状態で使用される。
【００１２】
前記基板２３の中心部には、下端部がボルト２６にて固定されたシャフト２５が垂直に立設しており、該シャフト２５の上部は、前記天板２４の中心部に設けたシャフト挿通孔２４ａにカラー２５ａを介して上下動可能に挿通されている。また、天板２４の下面と基板２３の上面との間には、第１スプリング２７がシャフト２５の外周に縮設されている。
【００１３】
前記押え板２１の上面には、基板２３に形成した挿通孔を上下動可能に貫通した８本の突当棒２８が立設され、該突当棒２８の上端に設けられた大径の上端大径部２８ａが基板２３と天板２４との間に配置されている。また、一部の突当棒２８の上端大径部２８ａ下面と基板２３の上面との間には第２スプリング２９が縮設されている。
【００１４】
基板２３の外周側には、周方向に１６等分して容器本体１１の把手取付部を除く１４箇所に、先端の二股腕３０ａを基板２３の外周側から突出させたサポート部材３０の基部がボルト３０ｂ，３０ｂにてそれぞれ取り付けられており、前記二股腕３０ａに回動腕３１の中間部が挿入されて基板接線方向の支軸３１ａにて枢支されている。これにより、回動腕３１は、支軸３１ａを中心として上部及び下部が封緘機２０の内外方向に回動可能に形成されている。
【００１５】
各回動腕３１の下端部には、前記容器本体１１に形成された大径環状部１１ｃの下端縁に係止する係止片３１ｂがそれぞれ設けられ、各回動腕３１の上端部には、カム作動部となるローラ３１ｃが回動腕３１の内方に周面を突出させた状態で設けられている。さらに、回動腕３１の支軸３１ａとローラ３１ｃとの間に設けられた通孔３１ｄには、各回動腕３１のローラ側を基板内周側に付勢するための第３スプリング３２が挿通されている。
【００１６】
天板２４の外周側下面には、前記ローラ３１ｃに対応したカム部材３３がボルト３４，３４にて取り付けられている。このカム部材３４の外面は、天板２４の外周面と面一に配置される上部カム面３３ａと天板２４の外周面よりも内周側に配置される下部カム面３３ｂとが連続して形成されており、基板２３に対して天板２４が離間したときにローラ３１ｃが下部カム面３３ｂの部分に位置し、基板２３に対して天板２４が接近したときにローラ３１ｃが上部カム面３３ａの部分に位置するように形成されている。
【００１７】
そして、天板２４の上面には、封緘機２０を作動させるための押動手段３５が設けられている。この押動手段３５は、前記シャフト２５を上下動可能に挿通するシャフトガイド孔３６ａを中央部に有する台座３６と、シャフトガイド孔３６ａを挟んで台座３６の両側部に対向して設けられた一対のハンドルバー３７，３７と、シャフト２５の上端部に螺合して両端部がハンドルバー３７の基端内側部に回動可能に連結された連結部材３８と、台座３６の両端部とハンドルバー３７の基端外側部とに両端部がそれぞれ回動可能に連結された一対のリンク部材３９，３９とを備えている。
【００１８】
次に、上述のように形成された封緘機２０を用いて、合成樹脂製ペール缶１０の容器本体１１に蓋１２を封緘する際の作動を説明する。まず、容器本体１１の上部に蓋１２を載置し、蓋１２の凹面部１２ｃに、押え板２１の小径リング部２１ａを挿入し、前記嵌合溝１２ａの上面１２ｂにフランジ部２１ｂを載置させる。このとき、図５に示されるように、基板２３は第２スプリング２９の付勢力により、基板２３の下部に設けた複数のサポート部材３０が押え板２１に当接した状態となり、天板２４は第１スプリング２７の付勢力により、上方に付勢された状態となっていて、複数の回動腕３１は、第３スプリング３２の付勢力によりローラ３１ｃがカム部材３３の下部カム面３３ｂに当接しており、回動腕３１の下方が容器本体１１の外周側に傾いた状態となり、係止片３１ｂが容器本体１１の大径環状部１１ｃの下方外周側に配設される。また、押動手段３５のハンドルバー３７，３７は、第１スプリング２７の付勢力によって台座３６に起立した状態に保持されている。
【００１９】
次に、図６に示されるように、一対のハンドルバー３７，３７の先端上部側を天板２４の外周方向に拡開させることにより、ハンドルバー３７，３７の基端部が傾き、前記連結部材３８がシャフト２５を伴って上昇するとともに、リンク部材３９が徐々に立上り、天板２４を基板２３の方向へ押動する。これと同時に、各回動腕３１のローラ３１ｃが下部カム面３３ｂから上部カム面３３ａへ乗り上げて外方に押動され、支軸３１ａを中心に回動腕３１のローラ３１ｃ側が外方に、係止片３１ｂが内方に回動することにより、係止片３１ｂが容器本体１１の大径環状部１１ｃの下方に位置して下端に係止する状態になり、さらに、突当棒２８の上端大径部２８ａ上面が天板２４の下面に当接する。
【００２０】
この状態から、図７に示されるように、さらにハンドルバー３７，３７を拡開して天板２４を下方に押圧すると、突当棒２８の上端大径部２８ａが天板２４の下面に当接していることから、シャフト２５の上昇によって基板２３が天板２４に向かって上昇して接近するとともに、基板２３が押え板２１から離れて押え板２１が突当棒２８に押されて下降する状態になる。この相対的な基板２３の上昇と押え板２１の下降とにより、基板２３に設けられた各回動腕３１の係止片３１ｂから容器本体１１の大径環状部１１ｃに上方に向かう力が作用し、押え板２１のフランジ部２１ｂから蓋１２に下方に向かう力が作用して両者を挟着した状態になる。
【００２１】
したがって、ハンドルバー３７，３７を更に拡開操作することによって容器本体１１と蓋１２とを接近させる方向の力が発生して蓋１２が開口部に向けて押圧される。これにより、容器本体１１の嵌合突部１１ａが蓋１２の嵌合溝１２ａに嵌入し、嵌合突部１１ａの下部外周に設けられた係合突片１１ｂが嵌合溝１２ａの係合突縁１２ｄに係合し、容器本体１１の上部に蓋１２が密着状態で嵌合することになる。
【００２２】
また、ハンドルバー３７，３７の拡開操作力を解除すれば、第１スプリング２７，第２スプリング２９，第３スプリング３２の付勢力により、ハンドルバー３７，３７が起立状態に戻り、同時に、蓋１２上に載置された状態の押え板２１に対して基板２３が下降するとともに、天板２４が上昇し、これらが図５に示される初期位置に戻り、係止片３１ｂと大径環状部１１ｃとの係合も解放されることから、封緘機２０を持ち上げることによってペール缶１０から取り外すことができる。
【００２３】
上述のように、本形態例では、容器本体１１上に載置した蓋１２の上に封緘機２０を載置し、一対のハンドルバー３７，３７を拡開させるだけの操作により、ペール缶１０の開口部に周設された嵌合突部１１ａを蓋１２の下面に周設された嵌合溝１２ａに簡単且つ確実に嵌入させることができ、容器本体１１の上部開口に蓋１２を外れないように確実に嵌合させて密閉することができる。
【００２４】
また、カム部材は、外周面に上部カム面と下部カム面とを連続して備えたリング状に形成してもよいが、カム部材をリング状に形成すると、重量が嵩んで封緘機２０のペール缶１０への着脱が困難になる。このため、リング状に形成したカム部材の、ローラ３１ｃに対応しない位置を切り落として軽量化を図ることもできるが、加工に手間が掛かかり、コストが上昇する虞があった。本形態例のように、ローラ３１ｃに対応して板状のカム部材３３を複数取り付けることにより、カム部材３３を容易に加工することができ、加工に要するコストを低く抑えることができるとともに、重量が嵩むことを防止し、封緘機の取り扱い性を向上させることができる。
【００２５】
なお、各部材の形状や構造は任意であり、例えば、ガイド棒や突当棒、回動腕の設置数は任意であり、ペール缶のサイズ等に応じて適宜設ければよい。また、押動手段の構造、機構も、シャフトを引き上げながら天板を押し下げることができれば、適宜な構造、機構で形成することができる。
【図面の簡単な説明】
【００２６】
【図１】本考案の一形態例を示すペール缶に封緘機を装着した状態を示す正面図である。
【図２】同じく封緘機の要部拡大正面図である。
【図３】同じく図２のIII-III断面図である。
【図４】同じく封緘機の一部断面平面図である。
【図５】同じく図４のV-V断面図である。
【図６】ハンドルバーを拡開して突当棒の上端大径部が天板の下面に当接した状態を示す封緘機の要部拡大正面図である。
【図７】ハンドルバーをさらに拡開して係止片と押え板とでペール缶の容器本体と蓋とを挟着して蓋を開口部に向けて押圧している状態を示す封緘機の要部拡大正面図である。
【符号の説明】
【００２７】
１０…ペール缶、１１…容器本体、１１ａ…嵌合突部、１１ｂ…係合突片、１１ｃ…大径環状部、１２…蓋、１２ａ…嵌合溝、１２ｂ…上面、１２ｃ…凹面部、１２ｄ…係合突縁、１２ｅ…押圧片、２０…封緘機、２１…押え板、２１ａ…小径リング部、２１ｂ…フランジ部、２２…ガイド棒、２３…基板、２４…天板、２４ａ…シャフト挿通孔、２５…シャフト、２５ａ…カラー、２６…ボルト、２７…第１スプリング、２８…突当棒、２８ａ…上端大径部、２９…第２スプリング、３０…サポート部材、３０ａ…二股腕、３０ｂ…ボルト、３１…回動腕、３１ａ…支軸、３１ｂ…係止片、３１ｃ…ローラ、３１ｄ…通孔、３２…第３スプリング、３３…カム部材、３３ａ…上部カム面、３３ｂ…下部カム面、３４…ボルト、３５…押動手段、３６…台座、３６ａ…シャフトガイド孔、３７…ハンドルバー、３８…連結部材、３９…リンク部材
【図１】
0003138110.tif 000003
【図２】
0003138110.tif 000004
【図３】
0003138110.tif 000005
【図４】
0003138110.tif 000006
【図５】
0003138110.tif 000007
【図６】
0003138110.tif 000008
【図７】
0003138110.tif 000009